Podtech/llm-jp-corpus-v4-ja_patent huggingface dataset:
(57)【要約】      （修正有）【課題】複雑な個所の指圧には、色々と異った種類の指圧器が無ければ心地よい施療は出来ず、同じ物で良いと思っても経過と共に違った刺激を望む事もあり、広い面積を一緒に施療する時には、何でもない処で、長時間の施療で悪化する事もあり、正確に、本当に必要な細い処を施療出来ねばなりませんし、花粉症対策に猛毒の活性酸素を吸っている。【解決手段】複雑な個所の指圧には、色々と異った種類の指圧器が無ければ心地よい施療は出来ず同じ処で、之は良いと思っても、経過と共に違った指圧を望むものですが３角枕が６通りの皮膚への当て方があり、希望を満たします。【選択図】図１
2015213731.tif 000002
【特許請求の範囲】
【請求項１】
四角形の３面を有する３角枕指圧器に於て、四角形の面同士の接点で出来ている陵線及び陵線の延長線に、横にした棒、板を含む突起を有する３角枕指圧器の製造。
【発明の詳細な説明】
【技術分野】
【０００１】この発明は健康を増進する器具に関する。
【背景技術】
【０００２】各種指圧器、あんま器がある。
【発明の概要】
【発明が解決しようとする課題】
【０００３】指圧器、あんま器は、各種あるが、後頭部、ボンのクボ、耳たぶの後、首の背後の細い部分を施療する器具はなく、花粉症対策に猛毒の活性酸素を吸つている。【０００４】本発明は、後頭部、ボンのクボ、耳たぶの後、首の背後の細かい部分を施療する器具の工夫の開発である。
【課題を開発する為の手段】
【０００５】３角枕の陵線に突起をつけた指圧器を造った。
【発明の効果】
初回から２時間の長い間施療するのに、後遺症は無く、体の各部が、若返った事が、実感できた。
【０００６】目の周囲の筋肉の血行が良くなり、斜視で、片方の目の瞼が下り、クリップで釣り揚げて、瞼が目を塞ぐのを、防いでいたが、平常に４〜５日でなった。
【０００７】５０肩の痛みが、和らいだ。
【０００８】背骨が引き締まる。
【０００９】花粉症の鼻水が止まった。
【００１０】上向きに寝た時、普通は呼吸量が減るのに、増加するのが自分で分る。
【００１１】リューマチに良い。
【発明を実施する為の形態】
【００１２】図面を参照しながら説明します。図１は横からみた図で、図２は前から見た図で、図３は上から見た図です。１，２，３は陵線上の突起で、四角形の３面を有する枕形で、耳たぶの後、後頭部の髪の生え際、ボンのクボ、首の後を気持よい力で押えるのです。
【図面の簡単な説明】
【００１３】
【図１】は、横から見た図で、
【図２】は前から見た図で、
【図３】は上から図です。
【符号の説明】
【００１４】  １  突起
２  突起
３  突起
【図１】
2015213731.tif 000003
【図２】
2015213731.tif 000004
【図３】
2015213731.tif 000005
(57)【要約】【課題】  本発明は、有線又は無線により情報交換ができる音声付き画像を表示できる軟質硬質の積層型ディスプレイ装置を外表面又は内表面に張り付けもしくは組成素材そのものに組み込んだものを構成体とする鞄、ポーチ、ハンドバッグ等の袋容器を提供するものである。【発明の効果】この発明により、鞄、ポーチ、ハンドバック、買い物バッグ等の小物収納持ち運び用携行容器（以下袋容器という。）の使用上は、容器以外の機能をもつことがない本来的機能に情報伝達表示機能をあわせ持たせることができる。【選択図】図１
2015213721.tif 000002
【特許請求の範囲】
【請求項１】
入力又は送信電波を受信して得られる音声ないし画像データを保存するメモリ及びそれらのデータを指定された特定の使用目的に従って演算処理して出力する演算部及び出力部を搭載する回路基板、上記音声画像を主力表示する音声発生並びに画像ディスプレイのための表示装置、これらの回路基板と表示装置とに必要な電力を供給する充電可能電池から構成される軟質硬質の板状積層構造体を外表面又は内表面に張り付けもしくは組成素材そのものに組み込んだものをを構成体とする鞄、ポーチ、ハンドバッグ等の袋容器（以下袋容器と称する）。
【請求項２】
ブルートゥース（Ｂｌｕｅｔｏｏｔｈ：登録商標）等の無線通信手段により請求項１の板状積層構造体に送信される画像データを受信しその表層部でディスプレイ画像を表示できる請求項１の袋容器。
【請求項３】
ブルートゥース（Ｂｌｕｅｔｏｏｔｈ：登録商標）等の無線通信手段により一方的又は双方向的に音声で無線通信できる回路基板を装着した請求項１又は２の袋容器。
【請求項４】
タッチパネル、押釦、マイク、スピーカーの付加装着により一方的又は双方向的に音声通信をすることができる請求項１又は２の袋容器
【請求項５】
請求項１、２又は３の本装置に接触型又は非接触方法で電力供給をするためのバッテリ―を電源とし、又は外部電源を取り入れることができるように配置した請求項１、２又は３の袋容器。
【発明の詳細な説明】
【背景技術】
【０００１】  鞄、ポーチ、ハンドバック、買い物バッグ等の小物収納持ち運び用携行容器（以下袋容器という。）は、その使用上は、容器以外の機能をもつことがない。
しかし、近年、情報の供給者側及び需要者側の双方において、この袋容器に情報の受発信機能を持たせるニーズが高まってきている。
その第１としては、これまでであれば、袋容器の外表面はブランド名又はそれに類したスローガンなどが印刷表示されるにとどまっていたのであるが、当該即時伝達性及び周囲からの注目度が高い情報伝達機能を追加し、袋容器の容器影響コストの低減をはかるニーズが高まっている。
その第２としては、頻用度が高いわけではないが、装着する装置の機能を造設することにより、危険物が容器内にあやまって入ってしまった場合の警告表示をする機能のニーズもある。
そして、第３に、袋容器を携行して屋外歩行する者にあっては、袋容器のファッション性の機能を高めて注目度を上げる需要が増大し、また、通勤電車の乗客としては、単に携帯電話機を凝視して操作したり、中釣り広告を眺めまわすだけの孤独的時間を過ごすだけに終わるのではなく、ひざ上に置き、又は、手に抱えた袋容器に表示される動画等による情報を目にし、請求項１の装置の組み合わせによっては、音声情報を併用する方法により、とりわけ、その画面のサイズを極大限度まで拡大することにより、あたかもテレビ受像機を携帯しているかのようにその画面を単独でもしくは臨席者とともに読み取るという「ファッションデバイス」化機能へのニーズも生じている
【発明の概要】
【発明が解決しようとする課題】
【０００２】  本発明は、袋容器の表面、裏面、又はその素材そのものに請求項１の板状積層構造体を貼り付け又は組み込んで、袋容器に収納容器と情報伝達表示機能の二つの機能を合わせもたせることができる。
【課題を解決する手段】
【０００３】  上記の課題を解決するために、本発明は、請求項１の回路基板及び装置の一部又は全部を板状積層構造体とし構成する装置をトレーに接触させ、もしく袋容器の組成構成物のなかの一部に組み込んで上記の本発明の課題を解決するものである。
【発明の効果】
【０００４】  袋容器の携行所持者は、当該袋容器の表示機能面により必要な表示を示すことができ、また、その必要によっては、請求項１の装置に音声機能を増設することにより、音声による情報を受け取り、又は、音声情報を受発信することにより袋容器に携帯電話機の機能を持たせることもできる。
【図面の簡単な説明】
【０００５】
【図１】［図１］は外観図であり。図面のうち（１）は、買い物収納袋の外観図例であり、（２）はハンドバックポーチ類も外観図例である。いずれも携行用袋容器であり、その表面（マチ部分を（含む）に表示部分を露出させ、その本体組成本発明を組み込むたもの袋容器の例示であり、それらの本体又は内部表面に表示のために必要な請求項１の軟質硬質の板状積層構造体を貼り付け又は組み込むものである。
【図１】
2015213721.tif 000003
(57)【要約】【課題】環境のためにペットボトルとトレーを洗った後水切りと乾燥するのに時間がかかるため乾燥場所に困っていた。本発明は、ペットボトルとトレーの水切れと乾燥を同時に早くするためのものでありアームをパタパタと開閉できるエコパラソルハンガーを提供する。【解決手段】本ハンガーは上部先端が竿に掛けられるようにフック状になっているパラソルハンガーである。パラソルの途中を折り曲げて直角に立ち上げたＬ字状のハンガーである。アームの根元部分から立ち上げるまでの途中に挟み具を取り付けたハンガーである。【選択図】図１
2015213725.tif 000002
【特許請求の範囲】
【請求項１】
本ハンガーは上部先端が竿に掛けられるようにフック状になっているパラソルハンガーである。パラソルのアームの途中を折り曲げて直角に立ち上げたＬ字状のハンガーである。アームの根元部分から立ち上げるまでの途中に挟み具を取り付けたハンガーである。
以上の構成よりなるペットボトルとトレーを乾かすハンガーである。
【発明の詳細な説明】
【技術分野】
【０００１】本発明は空ペットボトルとトレーを水切り、乾燥させるハンガーに関するものである。
【背景技術】
【０００２】空ペットボトルとトレーを洗った後水切りと乾燥するのにその時々に置き場所を考えながら乾燥していた。
【発明の概要】
【発明が解決しようとする課題】
【０００３】ペットボトルとトレーは環境を守るために洗って乾燥の後返却しなければならない。洗った後乾燥するが場所をとる上に水切りに長時間かかるため置き場所に困ってその時々の都合により場所を移動していた。
本発明は以上の問題点を解決するためになされたものである。
【課題を解決するための手段】
【０００４】本ハンガーは上部先端が竿に掛けられるようにフック状になっているパラソルハンガーである。パラソルのアームの途中を折りまげて直角に立ち上げたＬ字状のハンガーである。アームの根元部分から立ち上げるまでの途中に挟み具を取り付けたハンガーである。
以上の構成よりなるペットボトルとトレーを乾かすハンガーである。
【発明の効果】
【０００５】本ハンガーをフック状にして高所にぶら下げることによりペットボトルの干し場所に困らなく場所をとらなくなる。パラソルハンガーのアームの本数をペットボトルが干せるだけの間隔に開けてアームの折上がり棒を多くすればペットボトルを沢山干すことが出来る。ペットボトルを直角の棒に差し込み干す為水切れがよくなるので乾燥が短時間で済む。
アームの根元部分から立ち上がりまでの間に挟み具をぶら下げることでトレーが干せる。
このアームはバタバタと開閉できるので不必要な時は逆さにしてぶら下げて置けば場所を取らない。
【図面の簡単な説明】
【０００６】
【図１】本発明の斜視図
【図２】本発明の使用状態を示す斜視図
【発明を実施するための形態】
【０００７】以下、本発明の実施の形態を説明する。
（イ）支軸体（２）の上部先端にフック（１）を設ける。
（ロ）支軸体（２）を中心にＬ字状アーム（３）が上下に動くように固定した穴を放射線    状にあけたアーム取付皿（５）を取り付ける。この時アームの先端は上方へ、支軸体    のフック方向に向かうように、設けられている。
（ハ）アーム取付皿が滑り落ちないようにストッパー（６）で止める。
（ニ）アーム（３）の根元からＬ字状アームの折上がり棒までの間に挟み具（４）を設け    る。
（ホ）エコパラソルハンガーを保管する時は保管用フック（７）を使用する。この時上下    が反対になる保管用ストッパー（８）でとめる。
本発明は以上のような構造である。
【０００８】本発明を使用する時はエコパラソルハンガーのフックを竿などに掛けてＬ字状アームを開く。直角に立ち上げて折り上がっている棒にペットボトルをさしこむ。根元から折上がり棒の間の挟み具にトレーをはさみぶら下げる。これにより水切れがよく物干し竿などの端で太陽にあたる場所に吊るせば場所も取らず早く乾燥する。乾燥後すぐに回収場所にもっていける。場所もなく溜まって困ることがなくなる。
【符号の説明】
【０００９】１フック、２支軸体、３Ｌ字状アーム、４挟み具  ５アーム取付皿、６ストッパー、
７保管用フック  ８保管用ストッパー
【図１】
2015213725.tif 000003
【手続補正書】
【提出日】平成26年6月23日(2014.6.23)
【手続補正１】
【補正対象書類名】明細書
【補正対象項目名】０００６
【補正方法】変更
【補正の内容】
【０００６】
【図１】本発明の斜視図
(57)【要約】【課題】しょうゆの味の劣化を防ぎ酸化を防止するために、空気に触れないようにする卓上しょうゆ差し。【解決手段】しょうゆを上部から容器内に入れる位置まで空気溝を設けることによって、押し棒を押し込んでも空気の逃げ道になり空気が残らない構造とする。容器下の注ぎ口を受け止めるゴムを配置した専用受け台を設ける。【選択図】図１
2015213730.tif 000002
【特許請求の範囲】
【請求項１】
注射器のように吸い上げて押す先端部につば状のゴムがある押し棒部と、容器本体の内側上部にゴムリングが働く直前位置まで空気溝を設けて空気が抜けるようにした容器と、容器下部の注ぎ口からもれ出ないように受け止めるゴムを配置した専用受け台で構成される密封型卓上しょうゆ差し。
【発明の詳細な説明】
【技術分野】
【０００１】  本発明は、しょうゆの酸化を防ぎ味の変化を軽減するために、空気に触れないようにした卓上型のしょうゆ差しに関するものである。
【背景技術】
【０００２】  しょうゆの味の変化を防ぎ酸化を防止するためには、空気に触れないようにする方法が良い。従来市販されるしょうゆは全て防腐剤が入っておりその味の変化を防いでいた。最近は防腐剤が入っていない生しょうゆも出回ってきているが、このしょうゆの専用容器は空気に触れない構造としてまた販売上も優れているが、食卓上に置き、食事を楽しみ雰囲気を大事にするには満足できるものではない。【０００３】  この目的を達成できるものでは注射器が優れている。しかし注射器ではしょうゆを吸い上げて入れなければならない。このためには吸い上げ用のホースが必要となり、しょうゆ容器内に突っ込んで使用しなければならない。このホースのメンテナンスや保管は面倒で、衛生管理上も問題がある。【０００４】  そこで容器にしょうゆを上部側から入れようとすると容器内に空気が残り不向きである。またその際に出口を塞いでおく必要がある。さらに注射器では自立して置くことができず、横倒しになってしまう。
【先行技術文献】
【特許文献１】
【０００４】不明
【特許文献】
【非特許文献】
【０００５】
【非特許文献１】なし
【発明の概要】
【発明が解決しようとする課題】
【０００６】  解決しようとする問題点は、しょうゆを上部側から容器内に入れる際に押し棒を挿入すると容器内に空気が残ってしまうことと、しょうゆが押し出されてしまうことである。
【発明が解決するための手段】
【０００７】  本発明は、しょうゆを容器内に入れる際にしょうゆを入れる位置まで空気溝を設けることによって押し棒を押し込んでも空気の逃げ道になり、空気が残らない構造を特徴とする。またこの作業の際に容器下の注ぎ口からもれないようにするため、注ぎ口を受け止める位置にゴムを配置した専用の受け台を設ける。受け台全体がゴム製であっても良い。
【発明の効果】
【０００８】  本発明のしょうゆ差しは、入れる際に空気が残らないのこと、容器下の注ぎ口が専用の受け台のゴムで常時ふたをしているので、酸化を防止し、しょうゆの劣化を防ぐ効果があり、さらに横置きにせずに卓上に立てて置ける利点がある。このため卓上に置いてもおいしさが持続でき、食事の雰囲気をそこなうことのないしょうゆ差しが提供できる。
【図面の簡単な説明】
【０００９】
【図１】  しょうゆ差しの実施方法を示した断面図。
【図２】  しょうゆ差しの実施方法を示した説明図。
【図３】  しょうゆ差しの他の実施方法を示した説明図。
【発明を実施するための形態】
【００１０】  容器内側上部に空気溝を設ける。空気溝はしょうゆを入れるラインと同じ位置まである。この位置まで押し棒を差し込むと同時に空気も抜ける。この時容器は専用台上に置いて行う。専用受け台の底部にゴムが配置されている。注ぎ口はこのゴムに接触する。押し棒先端にはつば状のゴムがあり、気密性を保ち押し出しができる。
【実施例１】
【００１１】  「実施形態の効果」
この実施形態はもっとも少ない部品構成で実施できる。空気を抜く方法は他にもあるが、最も簡易にできる方法である。
【符号の説明】
【００１２】１  容器本体
２  押し棒
３  つば状ゴム
４  専用置き台
５  注ぎ口受けゴム
６  空気溝
７  しょうゆの入れるライン
８  注ぎ口
【図１】
2015213730.tif 000003
【図２】
2015213730.tif 000004
【図３】
2015213730.tif 000005
(57)【要約】      （修正有）【課題】机上や衣類、ＯＡ機器等の細かい隅の方のチリやゴミの除去には、従来のコロコロ（ローラー式のもの）では、置き場所にこまる、細かい隅等は無理、ぞうきん等では濡らしたりしなければならないので手間がかかる、また、とっさの時に清掃道具が近くには無いことが多いので、これらの課題を解決するゴミ取り紙を提供する。【解決手段】メモ紙のような紙の裏に粘着糊が付いた粘着糊付き紙２を使用し、メモ帳の様に重なっていて一枚づつ剥がして使える構成の、メモと兼用したゴミ取り紙とする。【選択図】図１
2015213727.tif 000002
【特許請求の範囲】
【請求項１】
粘着糊付紙がメモ帳の様になっている。
【発明の詳細な説明】
【技術分野】
【０００１】この発明は、粘着糊が付いた紙がメモ帳の様に重なっていて一枚づつ剥がしてゴミ等除去することができる。
【背景技術】
【０００２】従来、机上や衣類、ＯＡ機器等の細かい隅の方のチリやゴミの除去に手間がかかっていた。とっさの時に清掃道具が近くには無い。
【先行技術文献】
【特許文献】
【０００３】
【特許文献１】
【発明の概要】
【発明が解決しようとする課題】
【０００４】従来あるコロコロ（ローラー式のもの）では、置き場所にこまる、細かい隅等は無理ぞうきん等では濡らしたりしなければならないので手間がかかる。
【課題を解決するための手段】
【０００５】メモ紙のような紙の裏に粘着糊が付いており、メモ帳の様に重なっていて一枚づつ剥がして使える。
【発明の効果】
【０００６】メモ紙としても使えるため机に置いておいても邪魔ではない。一枚の紙なので細かい隅々のちり等も除去できる。
【図面の簡単な説明】
【０００７】
【図１】▲１▼一番下は厚紙（台紙）上部中央に穴があり吊るせる。▲２▼粘着紙下部は糊がなくめくりやすくなっている。
【発明を実施するための形態】
【０００８】机の隅にでも置いておき（携帯してもよし）メモ紙として使用してもよし。
ゴミ（ちり）などが気になった時に一枚剥がし使用する。
【符号の説明】
【０００９】▲１▼台紙
▲２▼粘着紙
【図１】
2015213727.tif 000003
【図２】
2015213727.tif 000004
【手続補正書】
【提出日】平成26年7月3日(2014.7.3)
【手続補正１】
【補正対象書類名】明細書
【補正対象項目名】０００７
【補正方法】変更
【補正の内容】
【０００７】
【図１】  ▲１▼一番下は厚紙（台紙）上部中央に穴があり吊るせる。▲２▼粘着紙下部は糊がなくめくりやすくなっている。
【図２】  本発明の側面図である
(57)【要約】【課題】変調光を発する投光器と、この変調光を受ける受光器とで構成され、投光器より投光された赤外線信号が人体等で遮光されたことを受光器で検知し警報出力する光線式検知器において、従来の光線式検知器より多い種類の周波数信号を使用し、複数台設置時に干渉が起きにくく、誤動作を低減することができる光線式検知器を実現する。【解決手段】受光素子で電気信号に変換し、例えば同調用コイルと同調用コンデンサで構成されるＬＣ共振回路のようなバンドパスフィルタにて抽出した信号を、スーパーヘテロダイン方式を用い周波数変換する構成とし、その方式に必要な局部発振器をＣＰＵで代用し、局部発振周波数は、ＣＰＵのクロックの分周を用いる。【選択図】図２
2015213225.tif 000002
【特許請求の範囲】
【請求項１】
光線式検知器において、投光器から受光器に達する変調光を、受光素子で電気信号に変換し、スーパーヘテロダイン方式を用い周波数変換する構成とし、局部発振周波数は、ＣＰＵのクロックの分周を用いることを特徴とする光線式検知器。
【請求項２】
ＣＰＵと混合器間、および／または、混合器の後にローパスフィルタを備えたことを特徴とする請求項１に記載の光線式検知器。
【発明の詳細な説明】
【技術分野】
【０００１】
本発明は、変調光を発する投光器と、この変調光を受ける受光器とで構成され、投光器より投光された赤外線信号が人体等で遮光されたことを受光器で検知し警報出力する光線式検知器の受光回路に関するものである。
【背景技術】
【０００２】
光線式検知器は、投光器と受光器を所定の距離だけ離して設置するものである。投光器から受光器に達する変調光は、例えば数十kHz〜数百kHzの搬送波で例えば数百Hz〜数kHzの信号波を変調した二重変調パルスの光線が使用され、複数台設置するときには誤動作を防止する目的で異なる変調周波数の光線を使用できるようにしている。
【０００３】
従来、投光器から投光された二重変調パルス光を、受光器内のフォトダイオードやフォトトランジスタなどの受光素子で電気信号に変換し、例えば共振周波数を搬送波に合わせた同調用コイルと同調用コンデンサで構成されるＬＣ共振回路のようなバンドパスフィルタにて信号を抽出したあと、その信号を増幅および検波して得られた信号が、投光器から投光された光かどうかを判断していた。（例えば特許文献１参照）  
【特許文献１】国際公開番号ＷＯ８９／０５９８６公報
【発明の開示】
【発明が解決しようとする課題】
【０００４】
図１は従来の方式を示した図である。投光された二重変調パルス光を、受光素子１で電気信号に変換し、同調用コイル２および同調用コンデンサ３と選択される周波数によりＣＰＵ６で選択された周波数選択用トランジスタ５と同調用コンデンサ４で構成されるＬＣ共振回路にて、選択すべき搬送波の周波数の電気信号を抽出している。
【０００５】
しかし、通常ＬＣ共振回路は１つの同調コイルと選択可能な同調コンデンサの組み合わせで構成されるため、選択できる周波数範囲を広くしようとするとその範囲内での共振ゲインの差が大きくなり現実的ではなく、したがって選択できる周波数範囲は狭くなる。狭い周波数範囲で選択できる周波数を増やそうとすると、それらの各周波数は周波数領域で近くなってしまい弁別性が悪く、逆に弁別性を上げようとすると、その周波数範囲内に選択できる周波数が少なくなってしまう。現在、光線式検知器は一般的に４種類の周波数しか選択できない。その結果、複数台設置したくても、干渉が起きやすく誤動作の原因となったり、設置台数が制限されたりする問題があった。
【課題を解決するための手段】
【０００６】
本発明では、受光素子で電気信号に変換し、例えば同調用コイルと同調用コンデンサで構成されるＬＣ共振回路のようなバンドパスフィルタにて抽出した信号を、スーパーヘテロダイン方式を用い周波数変換する構成とし、その方式に必要な局部発振器をＣＰＵで代用し、局部発振周波数は、ＣＰＵのクロックの分周を用いる。
【発明の効果】
【０００７】
本発明では、スーパーヘテロダイン方式を使用することにより、周波数弁別性能が向上するため、従来の方式より多い種類の周波数信号を光線式検知器に使用できる。また、従来通り４種類の周波数信号を用いた場合は、より弁別性が向上するため誤動作を低減できる。
さらに、局部発振周波数は、ＣＰＵのクロックの分周を用いるため、複雑な局部発振回路が不要となり、回路の規模を縮小することができる。そのため、部品費や回路検査費を低減することができる。
【図面の簡単な説明】
【０００８】
【図１】従来の方式を示した図である。
【図２】本発明の第１の実施形態を示した図である。
【図３】本発明の第２の実施形態を示した図である。
【発明を実施するための最良の形態】
【０００９】
投光された二重変調パルス光を、受光素子１１で電気信号に変換し、同調用コイル１２および同調用コンデンサ１３と選択される周波数によりＣＰＵ２０で選択された周波数選択用トランジスタ１５と同調用コンデンサ１４で構成されるＬＣ共振回路にて、選択すべき搬送波の周波数の電気信号を抽出し、増幅回路１６で増幅後、ＣＰＵ２０から局部発振周波数として出力される電気信号と混合器１７で混合し、中間周波数の電気信号に変換する。中間周波数増幅回路１８で増幅および検波回路１９で検波後、ＣＰＵ２０で投光器から投光された光かどうかを判断する。
【００１０】
搬送波の周波数をfc、中間周波数をfi、局部発振周波数fo、ＣＰＵ２０から局部発振周波数foとして出力される電気信号の周波数はＣＰＵ２０のクロックの分周とし、ＣＰＵ２０のクロックをCK、分周比をN、Mとすると、
fc＝CK／N
fo＝CK／M
CK／N≒CK／M−fi
となるNとMの組み合わせを使用する搬送波の数だけ準備する必要がある。
【００１１】
図３は、本発明の第２の実施形態を示した図である。ＣＰＵ２０から出力される局部発振周波数foの電気信号は矩形波であるため、主成分のほかに高調波が存在し、その高調波と搬送波との混合で不要な周波数の電気信号が発生してしまう。この高調波は、中間周波数よりも高い周波数であるため、図２の実施形態に対し、図３のようにＣＰＵ２０と混合器１７間、混合器１７と中間周波数増幅回路１８間のそれぞれにローパスフィルタ２１、２２を追加する。ローパスフィルタを追加することにより、不要な周波数成分を除去することができる。
【００１２】
本発明では、スーパーヘテロダイン方式を使用することにより、周波数弁別性能が向上する。
図２、図３では同調用コンデンサを８個としていたが、使用する搬送波の数により増減させてもよい。また、図３ではローパスフィルタを２個使用したが、どちらか一方としてもよい。
【符号の説明】
【００１３】
１・・・受光素子
２・・・同調用コイル
３、４・・・同調用コンデンサ
５・・・周波数選択用トランジスタ
６・・・ＣＰＵ
１１・・・受光素子
１２・・・同調用コイル
１３、１４・・・同調用コンデンサ
１５・・・周波数選択用トランジスタ
１６・・・増幅回路
１７・・・混合器
１８・・・中間周波数増幅回路
１９・・・検波回路
２０・・・ＣＰＵ
２１、２２・・・ローパスフィルタ
【図１】
2015213225.tif 000003
【図２】
2015213225.tif 000004
【図３】
2015213225.tif 000005
(57)【要約】      （修正有）【課題】魚釣り用リールのハンドルノブにおいて、部分的な仕様変更により所有者の好みに応じて組み換え可能なハンドルノブの提供。【解決手段】ハンドルノブを本体ｃ、キャップａ，及びリングｂ１・ｂ２・ｂ３の部品から構成させた魚釣り用リールのハンドルノブとし、本体ｃのみ又はリングｂ１・ｂ２・ｂ３のみの交換などを行う事により細かな組合わせが実現でき、好みやハンドルノブ特性に合わせた魚釣り用ハンドルノブに仕上げる事が可能となる。【選択図】図１
2015213481.tif 000002
【特許請求の範囲】
【請求項１】
魚釣り用リールのハンドルノブであって、本体・キャップ及びリングと言う部品構成により、細かな部品交換が出来る事を特徴としたハンドルノブである。
【請求項２】
リングの色を変えるだけで好みに応じた装飾が可能となる、と言う特徴を持った魚釣り用リールのハンドルノブである。
【請求項３】
本体のみを交換する事で、低コストでより所有者の手に馴染むものとなる、と言う特徴を持った魚釣り用リールのハンドルノブである。
【発明の詳細な説明】
【技術分野】
【０００１】
魚釣り用リールのハンドルノブに関するものである
【背景技術】
【０００２】
これまで魚釣り用リールのハンドルノブは様々な形状や装飾が施され、機能性や外観の向上、又は多数あるリールの中からの選別の際に寄与してきた。
しかしこれまでのハンドルノブは、本体とキャップのみで構成されており、部分的な仕様変更が出来ず、仕様変更の場合は全ての部品を変える必要がありコスト面で非常に不自由していた、その為、部分的に組み換えが出来る魚釣り用リールのハンドルノブを提供する。
【発明の概要】
【発明が解決しようとする課題】
【０００３】
魚釣り用リールのハンドルノブであり、部分的な仕様変更が可能で所有者の好みに応じて細かく部品交換できるハンドルノブ。
【課題を解決するための手段】
【０００４】
本体（ｃ）・キャップ（ａ）及びリング（ｂ１・ｂ２・ｂ３）によって構成される。
これにより、様々なパターンの組み合わせが可能となる。
例えば、リング（ｂ１・ｂ２・ｂ３）のみを好みの色に着色された物と交換する事で高い装飾効果を得られる。
また、本体（ａ）のみを所有者の手に馴染む物と交換する事でより高い操作感が得られる事となる。
【発明の効果】
【０００５】
本発明により、所有者の好みに応じた魚釣り用リールのハンドルノブを提供する事が可能となる。
また、部分的な交換を行うためコスト面でも有利になる。
【図面の簡単な説明】
【０００６】
【図１】魚釣り用リールのハンドルノブの断面図である。
【実施例】
【０００７】
魚釣り用リールのハンドルに装着後、リング（ｂ１・ｂ２・ｂ３）を交換し好みの装飾を楽しむ、又は本体をより手に馴染むものと交換し高い操作感を得る。
【符号の説明】
【０００８】
ａ＝キャップ
ｂ１・ｂ２・ｂ３＝リング
ｃ＝本体
【図１】
2015213481.tif 000003
(57)【要約】      （修正有）【課題】発電装置本体を軽量化、小型化することが出来る携帯型足踏み発電装置を提供する。【解決手段】発電装置を前後に動かすことにより、発電装置に取り付けられた前輪２を回転させ、前輪２に接続されたハブダイナモ３を回転させることにより発電を行う。本装置を前進させるときに前輪２の回転から得られる運動エネルギーをゼンマイバネに蓄積し、本装置を後進させる時に、ゼンマイバネに蓄積された運動エネルギーを開放する機能を有する為、操作者が本装置を後進させる時に、無理な力を入れることなく、小さい力で容易に後進させることが出来る。【選択図】図１
2015213413.tif 000002
【特許請求の範囲】
【請求項１】
発電装置を前後に移動させることにより発電を行う発電装置において、発電を行うハブダイナモを有し、前記ハブダイナモのダイナモ部分に直接、もしくはギヤにより接続されたホイールを有する発電装置であり、前記ホイールに、ゼンマイバネを直接、もしくはギヤにより接続し、発電装置を前進させると前記ホイールの回転エネルギーを前記ゼンマイバネに蓄積し、発電装置を後進させる方向へ力が働く発電装置。
【請求項２】
請求項１の発電装置において、発電装置の上部に、操作者が発電装置を前進、または後進させるためのペダルを有する。
【発明の詳細な説明】
【技術分野】
【０００１】本発明は、足踏み式の発電機に関する。
【背景技術】
【０００２】特許公開平７−２４０８３号における公開特許公報において、足踏み動作により発電機のロータを回転してバッテリーに充電する充電装置が開示されている。【０００３】実用新案公開平６−２９３７３号における公開特許公報において、左右の伸縮式のペダルを踏むことにより、ペダルに押された液体の流れが駆動し、発電を行う装置が開示されている。【０００４】特許公開２０００−５１３９２号における公開特許公報において、足踏み運動を行うステッピングマシーンにおいて発電を行う装置が開示されている。
【先行技術文献】
【特許文献】
【０００５】
【特許文献１】特許公開平７−２４０８３号公報
【特許文献２】実用新案公開平６−２９３７３号広報
【特許文献３】特許公開２０００−５１３９２号広報
【発明の概要】
【発明が解決しようとする課題】
【０００６】現在、手回し発電機を内蔵した懐中電灯やラジオが製品化され、広く普及している。これらの製品は、クランク状のレバーを手で回し、倍速ギヤによって発電機の軸を高速回転させて発電する方式が殆どである。しかし、この方式の場合、負荷の大きいレバーを手で回し続けていないと、発電が中断され、懐中電灯やラジオの機能が使えなくなることが多い。【０００７】手回し発電機によって発電する懐中電灯やラジオは、長時間使用すると手が疲れることが多いため、足の往復運動によって発電を行う装置も製品化されている。足の往復運動によって発電を行う場合、足の往復運動をクランクで回転運動に変える方式が殆どである。この方式の場合、クランクやクランクを支える機構を、脚力に耐え得る程度に頑丈にする必要があるため、手回し発電機と比べると、サイズや重量が大きくなる場合が殆どである。
【課題を解決するための手段】
【０００８】発電装置を前後に動かすことにより、発電装置に取り付けられたホイールを回転させ、ホイールに接続されたダイナモを回転させることにより発電を行う。本装置を前進させるときにホイールの回転から得られる運動エネルギーをゼンマイバネに蓄積し、本装置を後進させる時に、ゼンマイバネに蓄積された運動エネルギーを開放することにより、本装置を後進させる時に要する力を小さくする。
【発明の効果】
【０００９】本発明の発電装置においては、発電装置本体を往復運動させることにより発電を行う為、クランク、およびクランクを支える機構が不要になる。このため、発電装置本体を軽量化、小型化することが出来る。【００１０】本発明の発電装置において、発電装置本体を後進させる場合、前進させる場合よりも小さな力で発電装置本体を後進させることが出来る。一般的に、足を縮める時の力は、足を伸ばす時の力よりも小さいため、操作者が足を縮めて本装置を後進させる時に、無理な力を入れることなく、小さい力で容易に発電装置本体を後進させることが出来る。
【図面の簡単な説明】
【００１１】
【図１】携帯型足踏み発電装置の斜視図である。
【図２】携帯型足踏み発電装置の側面図である。
【発明を実施するための形態】
【００１２】図１は、本発明の携帯型足踏み発電装置において、一実施形態の斜視図を示すものである。図１に示すように、ハブダイナモ３は、前輪２に接続されている。ハブダイナモ３のハブシャフトは、フレーム７に接続されている。本実施例では、ハブダイナモ３には、自転車用として広く普及している、発電機内蔵式の前輪ハブを使用する。自転車において、発電機内蔵式の前輪ハブを用いて発電を行う場合、前輪ハブのダイナモ部分に前輪のホイールを取り付け、ハブシャフトをフロントフォークに取り付け、前輪を回転させることにより発電を行う。本実施例では、操作者は、ペダル１を足で押したり引いたりすることにより、本発電装置を前進、又は後進させ、前輪２を回転させることにより、前輪２に接続されたハブダイナモ３を回転させ、発電を行うものである。
【００１３】ハブダイナモ３には、ボビン５が接続されている。ボビン５に巻き付けられている紐４は、ゼンマイ式巻き取り装置６から出ている。本実施例において、ゼンマイ式巻き取り装置６には、エンジンを始動するための装置として普及しているリコイルスタータを使用する。ゼンマイ式巻き取り装置６は、紐が引き出されたときに、ゼンマイばねによって自動的に巻き戻す機構が組み込まれている。操作者が、ペダル１を足で押すことにより本発電装置本体を前進させると、ハブダイナモ３が回転することにより、ハブダイナモ３に接続されたボビン５も回転し、紐４がボビン５に巻き付けられる。このとき、ゼンマイ式巻き取り装置６は、ゼンマイばねによって引き出された紐４を巻き戻そうとするため、ボビン５に巻き付けられた紐４がゼンマイ式巻き取り装置６によって引っ張られ、本発電装置を後進させようとする力が働く。この状態のときに、操作者が足を縮めて本発電装置を後進させると、本発電装置を後進させる力が働いている為、操作者は無理な力を入れることなく、容易に本発電装置を後進させることが出来る。
【符号の説明】
【００１４】１  ペダル
２  前輪
３  ハブダイナモ
４  紐
５  ボビン
６  ゼンマイ式巻き取り装置
７  フレーム
８  後輪
【図１】
2015213413.tif 000003
【図２】
2015213413.tif 000004
(57)【要約】【課題】  飼い犬等の糞を、手指を触れずに清潔に処理収納及び廃棄できる機器を提供する。【解決手段】  コップ型薄厚の合成樹脂容器１の開口部５の中央に、８本のタコ糸４を取り付けた輪ゴム３を設け、８本のタコ糸４は、合成樹脂容器１の上部に設けた８個の孔２に外側からそれぞれを通して束にしてなり、容器の穴６及び合成樹脂容器１に融着一体化した取っ手７の孔１１に通過させ、引き手８の孔９に通して結び付け固定１０させることで、引き手８を指で引っ張れば１２、開口部５の中央にある輪ゴム３が大きく開き１４、反対に指を離せば１８、輪ゴム３の復元力で小さく窄む運動をさせ、飼い犬等の糞１５を手指の代わりに、掴む動作と離す動作の役割をさせたもの。【選択図】図１
2015213493.tif 000002
【特許請求の範囲】
【請求項１】
合成樹脂容器１に、８本のタコ糸４を装着した輪ゴム３を、容器開口部５の中央に位置付かせ、８本のタコ糸４は、合成樹脂容器１の上部に設けた８個の孔２に、それぞれを容器１の外側より通して束にした状態で、容器上部孔６及び合成樹脂容器１と融着一体化した取っ手７の孔１１に内側より通し、引き手８に設けた孔９を通過させて結び固定１０させる。
引き手８を指で引き上げて１２、輪ゴム３を大きく広げた状態１４で、飼い犬等の糞１５に被せたトイレットペーパー等１６の上から被せて１７、引き手８から指を離せば１８、輪ゴム３が元に戻る力によって小さくなり、自動的に飼い犬等の糞１５は、トイレットペーパー等１６に包まったままの状態で掴まれて、合成樹脂容器１内に処理収納され１９、そのままトイレ等に持ち運び、再び引き手８を指で引いて１２輪ゴム３を広げれば１４、飼い犬等の糞１５を廃棄処理２０ができることを特徴とする飼い犬等の糞を処理収納及び廃棄できる機器。
【発明の詳細な説明】
【技術分野】
【０００１】  本発明は、飼い犬等の糞を処理収納廃棄できる機器に関する。
【背景技術】
【０００２】  従来、飼い犬等は檻の中や散歩中での放糞の際は、その糞を処理するために、ビニール袋やトイレットペーパー等で手指を使って、糞を掴む不快な思いや、不清潔な状態で処理収納廃棄をしている欠点があった。
そこで本発明者は、上記欠点を解消するため、コップ型容器開口部の中央あたりにタコ糸の付いた輪ゴムを設置して、手指の代わりにタコ糸の操作で輪ゴムを大きく広げたり、元に戻したりして、糞を掴んで処理収納したり、離して廃棄したりできることで不快な思いをせず、しかもワンタッチで処理収納廃棄ができることに成功した。
【発明が解決しようとする課題】
【０００３】  本発明は、飼い犬等の糞を手指を使わずして処理収納及び廃棄できる機器を設けて、１つの機器で４つの役割（処理、収納、廃棄、清潔）を果たせることを提供するものである。
【発明を解決するための手段】
【０００４】  本発明の、飼い犬等の糞を清潔に処理収納廃棄できる機器は、上記課題を達成させるため図示するように、合成樹脂容器１の上部に８箇所の孔２を穿設し、８本のタコ糸４を取り付けた輪ゴム３を合成樹脂容器１の開口部５の中央に位置づけし、８本のタコ糸４は合成樹脂容器１の上部に設けた８個の孔２にそれぞれ１本づつ通して束にしてなり、合成樹脂容器１の上部の孔６に内側より通し、更に合成樹脂容器１の上部に融着一体化された取っ手７の穴１１にも通し、引き手の棒８の穴９に通して結びつけ固定１０する。
このとき、弱冠輪ゴムを引っ張る具合で固定させれば引き手８や、タコ糸４のぶれもなくやや安定した状態を保てる。又合成樹脂容器１に凸部１３を８箇所設ければ溝ができ、更に安定する。
他方、凸部１３の代わりに８箇所の孔を設けタコ糸４を、それぞれに通す方法でも良い。
又、外観を良く見せるため、外部に出ている８本のタコ糸４は、合成樹脂容器１の上部８箇所に設けられた孔２の位置を前記容器１の開口部５の最先端より約５ｍｍ程手前の位置まで移動することで解決する。
【発明の実施の形態１】
【０００５】  本発明の実施の形態が図２乃至図５に示されている。
本発明実施例の、飼い犬等の糞を処理収納廃棄できる機器は、ポリプロピレン等薄厚の合成樹脂製容器１と、前記容器１の上部に融着一体化された取っ手７とを備えている。
取っ手７は、タコ糸４の束を通すための孔１１を１箇所設け、合成樹脂容器１上部中心に設けてある孔６とを合わせて融着し、止着されている。
飼い犬等の糞１５の上に、２、３回程折畳んだ四角形のトイレットペーパー等１６（合成樹脂容器１の開口部５の円周よりやや大きめなサイズにしておく）を中央部に被せ１６、その上から引き手８を指で引っ張った１２まま持ち、輪ゴム３を最大限に大きくした状態１４でトイレットペーパー等１６の上から被せて１７、地面等に密着させてから引き手８の指を離す１８ことで、輪ゴム３が元の小さいサイズに戻る際に、トイレットペーパー等１６ごと飼い犬等の糞１５が掴み取られて１９、合成脂樹脂容器１内に処理収納される１９。
合成樹脂容器１の中に処理収納されたイレットペーパー等１６と一緒に包みこまれた飼い犬等の糞１５は、そのままトイレ等に運び、引き手８を指で引っ張れば１２、輪ゴム３が開いて１４、トイレットペーパー等１６に包まった飼い犬等の糞１５がトイレ容器内等に落とされて、廃棄処理ができる２０。
【発明の効果】
【０００６】  本発明によれば、飼い犬等の糞の後始末で、手指に伝わる糞の不快感や匂いの空気に手指が触れることもなく処理収納及び廃棄が出来、しかも全ての操作がワンタッチでカンタンにでき実用的価値が極めて大きい。
【図面の簡単な説明】
【０００７】
【図１】本発明の斜視図である。
【図２】本発明容器の上視図である。
【図３】本発明の実施図である。
【図４】本発明容器の下視図である。
【図５】本発明の実施図である。
【符号の説明】
【０００８】  １：合成樹脂容器
２：タコ糸を通す孔
３：輪ゴム
４：タコ糸
５：容器開口部
６：束にしたタコ糸を通す孔
７：取っ手
８：引き手
９：束にしたタコ糸を通す孔
１０：束にしたタコ糸を結んで固定した様子
１１：タコ糸を通す取っ手の孔
１２：引き手を引っ張った様子
１３：輪ゴムを固定させる凸部
１４：拡大した輪ゴムの様子
１５：飼い犬等の糞
１６：飼い犬等の糞にトイレットペーパー等を被せた様子
１７：飼い犬等の糞を処理収納しようとしている様子
１８：飼い犬等の糞を処理収納した様子
１９：容器の開口部に飼い犬等の糞が入っている様子
２０：トイレ等の容器に飼い犬等の糞を流して廃棄している様子
【図１】
2015213493.tif 000003
【図２】
2015213493.tif 000004
【図３】
2015213493.tif 000005
【図４】
2015213493.tif 000006
【図５】
2015213493.tif 000007
(57)【要約】【課題】  小水力発電に適した中山間地域の多くは、消火施設の不整備や消防車の侵入道路の細いところも多く消火活動には厳しい環境にあり、小水力発電に利用する水力を出火災害時の初期消火栓用水として利用が望まれる。【解決手段】  上部水源１から水を小水力発電機５に引導する導水管２の途中に消火栓バルブ３とゲートバルブ４を設け、出火災害時には該消火栓バルブ３に消火ホースを装着し該消火栓バルブ３を開放し該ゲートバルブ４を閉じることで消火ホースから水が噴出し初期消火に寄与する。【選択図】図１
2015031199.tif 000002
【特許請求の範囲】
【請求項１】
小水力発電機に接続した導水管の途中に消火栓バルブとゲートバルブを設けること
で、小水力発電機用の水力を出火災害時には住民による初期消火放水用の消火栓として
利用する、消火栓装置を具備する小水力発電機。
【発明の詳細な説明】
【技術分野】
【０００１】
本発明は小水力発電用の水力による消火栓装置に関する。
【背景技術】
【０００２】
小水力発電は水の落差と水量による水力によって水車を回して発電するが、小水力
発電には有効な水力が必要である為に、小水力発電機の設置場所の多くは中山間地域
であり、これらの地域では出火災害時には消火施設の不整備や消防車の侵入道路の細い
ところも多く消火活動には厳しい環境である。
【先行技術文献】
【特許文献】
【０００３】
【特許文献１】特開2013-22337
【発明の概要】
【０００４】
一般家庭用や個人商店等でも簡単に設置できる小容量消火栓は提供されている。（例
えば、特開2013-22337）この場合、貯水タンクや加圧ポンプとポンプ運転をする制御装  置が必要であり、しかも水量も少なく初期消火においても一定時間しか放水出来ないな  ど十分な機能が果たせない。
【発明が解決しようとする課題】
【０００５】
本発明は、小水力発電に利用する豊富な水力を、通常の消火活動には厳しい環境の
中山間地近郊地域の出火災害時には初期消火放水用水として利用するために消火栓装
置を具備した小水力発電機の提供を目的とする。
【課題を解決するための手段】
【０００６】
本発明に係る消火栓装置は、小水力発電機に連結した導水管の途中に消火栓バルブを
設けることで、出火災害時には住民の手によって消火栓バルブ口に消火ホースを接続し
てバルブを開きゲートバルブを閉じることで消火ホースノズルから勢いよく放水し初
期消火活動に速やかに活用できる。
【０００７】
小水力発電に利用する水力は一般的には水の落差が大きく水量も豊富なので貯水槽
や加圧ポンプも不要で管理面も手間や費用がかからない。
【発明の効果】
【０００８】
本発明による消火栓装置を具備した小水力発電機は、水力によって平時には地域防
犯灯電源として利用し、出火災害時には住民の手による初期消火栓装置として活用し
地域の自主防災に貢献する。
【図面の簡単な説明】
【０００９】
【図１】本発明の水力による消火栓装置の一実施例のシステム図である。
【発明を実施するための形態】
【実施例１】
【００１０】
図１は本発明の一実施例による、小水力発電機の水力による消火栓装置を示すシステ
ム構成図である。
【００１１】
図１による上部水槽１に付設された導水管２の他方の出口は小水力発電機５に接続
され、該小水力発電機近くの導水管２の途中に消火栓バルブ３とゲートバルブ４を設け、  
該消火栓バルブ３に消火ホースを装着し該消火栓バルブ３を開放しゲートバルブ４を
閉じることで消火ホースから水が噴出し初期消火に寄与する。
【符号の説明】
【００１２】
１  上部水槽
２  導水管
３  消火栓バルブ
４  ゲートバルブ
５  小水力発電機
６  排水管
【図１】
2015031199.tif 000003
(57)【要約】【課題】ボルト、ナットである物体を締付けるべくナットを回転した時ボルトも一緒に回転させないボルト回転防止用座金の提供。【解決手段】ボルト頭部を挟み込む一対の壁２を設けた座金の回転半径をナットの回転半径より大きくなる様に座金周囲部４が座金下面３より出っ張る構造とした。【選択図】図６
2015031399.tif 000002
【特許請求の範囲】
【請求項１】
座金の上面に一対の壁を設け、座金の周囲部は座金の下面より出っ張る事を特長としたボルト回転防止用座金
【発明の詳細な説明】
【技術分野】
【０００１】  本発明はボルト、ナットに付随する座金に関するものである。
【背景技術】
【０００２】  従来はボルトの回転を防止する金具は無かった。
【発明の概要】
【発明が解決しようとする課題】
【０００３】  ボルト、ナットである物体を締付ける場合、ナットをスパナ等の工具で回そうとするとボルトも一緒に回転してしまうので、もう一つのスパナでボルトの頭部を押えながら締付作業を行っていた。
また、物体の構造によっては別の人がボルトの頭部を押え、二人作業の必要性が生じていた。
【課題を解決する手段】
【０００４】  （イ）座金の上面に一対の壁２を設ける。
（ロ）座金の周囲部４は座金の下面３より出っ張る様にした。
【発明の効果】
【０００５】  ある物体にボルトを挿入し、ナットを回転させて行くとナット座面が物体上の平座金に接触した時、ボルトに軸力Ｑが発生し始める。この時ナットを回そうとする回転モーメントはＱμｒとなる。但し、μはナット座面と平座金間の摩際係数。ｒはナットの回転半径。
このナットの回転モーメントに対してボルト側には抵抗モーメントＱμＲが発生する。ここのμは本発明品と物体間の摩擦係数で、その値は前述のナット側の摩擦係数と同一と見做される。Ｒは本発明品の回転半径。
ナットの回転半径ｒより本発明品の回転半径Ｒの方が大きいのでナットを回そうとする回転モーメントよりボルト側の抵抗モーメントの方が大きくなる。よってボルトは回転しなくなる。
【図面の簡単な説明】
【０００６】
【図１】本発明その１の平面図
【図２】本発明その１の正面図
【図３】本発明その２の平面図
【図４】本発明その２の正面断面図
【図５】本発明その１の実施例平面図
【図６】本発明その１の実施例正面断面図
【図７】従来品の実施例正面断面図
【発明を実施するための形態】
【０００７】以下、本発明の実施の形態について図６により説明する。
座金の上面１に設けられた一対の壁２の間にボルト頭部を組み入れた状態でボルトを物体５に挿入し、ナットを回転させて行くと、ナット座面が平座金６に接触すると、この瞬間にボルトに僅かな軸力が発生する。この軸力をＱとすると、ナットと平座金６の接触面及び本発明の座金周囲部４と物体５の接触点に夫々Ｑμなる摩擦力が発生する。この時ナットを回そうとする回転モーメントはＱμｒとなる。ｒはナットの回転半径でここでは図６に示す様にナットの対角方向の半径で考える。
この回転モーメントに対してボルト側には抵抗モーメントＱμＲが発生する。
このＲはボルト中心より座金周囲部４と物体５の接触点までの距離である。
ナットの回転半径ｒより本発明を使用したボルト側の回転半径Ｒの方が大きいので、ナットを回そうとする回転モーメントよりボルト側の抵抗モーメントの方が大きくなりボルトは回転しなくなる。
【符号の説明】
【０００８】１  座金上面
２  壁
３  座金下面
４  座金周囲部
５  物体
６  平座金
【図１】
2015031399.tif 000003
【図２】
2015031399.tif 000004
【図３】
2015031399.tif 000005
【図４】
2015031399.tif 000006
【図５】
2015031399.tif 000007
【図６】
2015031399.tif 000008
【図７】
2015031399.tif 000009